(57)【要約】【課題】  受信装置において、番組放送中にアクセス先の情報が画面に表示された際、放送中の番組の視聴を阻害することなく、表示された情報を用いたアクセスを容易にする。【解決手段】  携帯電話機１では、テレビ番組の視聴中に、入力部４に対して、その時点でモニタ２に表示された画像から、携帯電話機１において発呼に利用できる形態で電話番号を取得するための操作がなされると、モニタ２に表示された画像のデータが一時的に記憶され、当該画像データに対して文字認識がなされる。そして、文字認識の結果得られた電話番号に発呼する処理がなされる。なお、携帯電話機１では、このように電話番号を取得し発呼する処理が実行されたために視聴することのできなかった部分の番組データが、録画され、通話が終了した後、早送り再生される。【選択図】        図１
2006025206.tif 000002
【特許請求の範囲】
【請求項１】
番組データを受信する受信手段と、
ユーザからの情報の入力を受付ける入力手段と、
前記受信手段が前記番組データを受信している最中に前記入力手段が第１の情報の入力を受付けた場合に、前記受信手段の受信した画像情報を記憶する記憶手段と、
前記受信手段が前記番組データを受信している最中に前記入力手段が第２の情報の入力を受付けた場合に、前記記憶手段に記憶された画像情報に対して文字認識を行なう文字認識手段と、
前記文字認識手段が文字認識の結果として出力した文字情報を用いて、ネットワークへのアクセス動作を実行するアクセス手段と、
前記入力手段が前記第２の情報の入力を受付けたことに基づいて、前記第２の情報の入力が受付けられてから前記アクセス手段によるネットワークへのアクセスが終了するまでに前記受信手段の受信する番組データを前記記憶手段に記憶させる制御手段とを備え、
前記制御手段は、前記第２の情報の入力に基づいた前記アクセス手段によるネットワークへのアクセスが終了した場合に、前記第２の情報の入力が受付けられてから前記アクセス手段によるネットワークへのアクセスが終了するまでに前記受信手段の受信した番組データを早送り再生させる、受信装置。
【請求項２】
番組データを受信する受信手段と、
ユーザからの情報の入力を受付ける入力手段と、
前記受信手段が前記番組データを受信している最中に前記入力手段が第１の情報の入力を受付けた場合に、前記受信手段の受信した画像情報を記憶する記憶手段と、
前記受信手段が前記番組データを受信している最中に前記入力手段が第２の情報の入力を受付けた場合に、前記受信手段の受信している番組に関する情報を、前記記憶手段に、前記記憶手段に記憶された画像情報に関連付けて記憶させる制御手段と、
前記入力手段に第３の情報が入力された際に、前記記憶手段に記憶された画像情報を、前記番組に関する情報とともに表示させる情報表示手段と、
前記情報表示手段によって表示された画像情報の中から或る画像情報を指定する情報である第４の情報が前記入力手段に入力された場合、前記或る画像情報に対して文字認識を行なう文字認識手段と、
前記文字認識手段が文字認識の結果として出力した文字情報を用いて、ネットワークへのアクセス動作を実行するアクセス手段とを備える、受信装置。
【請求項３】
前記番組に関する情報は、番組の名称、前記受信手段の受信しているチャンネル、または、前記記憶手段に記憶された画像情報を前記受信手段が受信した時刻を特定する情報の少なくとも１つを含む、請求項３に記載の受信装置。
【請求項４】
前記文字認識手段は、文字認識の結果として電話番号を出力し、
前記アクセス手段は、前記文字認識手段が文字認識の結果を利用して、ネットワークに、音声による通話のための発呼信号を送信する、請求項１〜請求項３のいずれかに記載の受信装置。
【請求項５】
前記入力手段は、前記文字認識手段に対して、前記記憶手段に記憶された画像情報について文字認識を行なう領域を指定する情報をさらに受付け、
前記文字認識手段は、前記受信手段が受付けた前記領域を指定する情報によって指定された領域のみについて文字認識を行なう、請求項１〜請求項４のいずれかに記載の受信装置。
【請求項６】
前記文字認識手段は、文字認識の結果を表示させ、
前記入力手段は、表示された前記文字認識の結果に対して修正を行なうための情報の入力を受付け、
前記アクセス手段は、前記文字認識手段が文字認識の結果として出力した文字情報に、前記入植手段に入力された前記修正を行なうための情報に基づいた修正を加えた情報を用いて、ネットワークへのアクセス動作を実行する、請求項１〜請求項５のいずれかに記載の受信装置。
【発明の詳細な説明】
【技術分野】
【０００１】
本発明は、受信装置に関し、特に、テレビ放送の受信が可能であり、かつ、ネットワーク等へのアクセスが可能な受信装置に関する。
【背景技術】
【０００２】
近年、情報機器の普及等に鑑み、テレビ番組の放送において、番組の詳細を参照するため等の、インターネット上のホームページアドレス（ＵＲＬ：Uniform Resource Locator）や専用電話の電話番号等のアクセス先の情報が表示される場合がある。
【０００３】
ユーザは、このように表示された情報をメモにとり、当該メモを参照しながら、ＵＲＬにアクセスしたり、電話番号に電話をかけたりすることにより、番組の視聴以外にも、種々の情報を得ていた。
【０００４】
なお、特許文献１には、画面に表示された情報を用いたアクセスをより容易にするための技術として、画像表示装置において、ＵＲＬが画面に表示された場合に、受信映像から取り込んだ画像に含まれるＵＲＬを抽出し、当該抽出されたＵＲＬを用いてＷＥＢアクセスをする技術が開示されている。
【特許文献１】特開平１０−３３４０１７号公報
【発明の開示】
【発明が解決しようとする課題】
【０００５】
しかしながら、単に、放送中の番組において画面に表示されたＵＲＬや電話番号を抽出してアクセスできるようにしただけでは、もともと放送している番組の視聴が中途半端になるおそれがあった。
【０００６】
つまり、番組の視聴中に画面にＵＲＬや電話番号が表示されたときに、すぐに当該ＵＲＬにアクセスすればアクセス先のホームページの内容に気を取られてしまったり、また、すぐに当該電話番号に電話をかければ通話内容に気を取られてしまったりして、視聴中の番組に集中できなくなることが考えられる。
【０００７】
本発明は、かかる実情に鑑み考え出されたものであり、その目的は、受信装置において、番組放送中にＵＲＬや電話番号等のアクセス先の情報が画面に表示された場合、放送中の番組の視聴を阻害することなく、当該情報を用いたアクセスを容易にすることである。
【課題を解決するための手段】
【０００８】
本発明の或る局面に従った受信装置は、番組データを受信する受信手段と、ユーザからの情報の入力を受付ける入力手段と、前記受信手段が前記番組データを受信している最中に前記入力手段が第１の情報の入力を受付けた場合に、前記受信手段の受信した画像情報を記憶する記憶手段と、前記受信手段が前記番組データを受信している最中に前記入力手段が第２の情報の入力を受付けた場合に、前記記憶手段に記憶された画像情報に対して文字認識を行なう文字認識手段と、前記文字認識手段が文字認識の結果として出力した文字情報を用いて、ネットワークへのアクセス動作を実行するアクセス手段と、前記入力手段が前記第２の情報の入力を受付けたことに基づいて、前記第２の情報の入力が受付けられてから前記アクセス手段によるネットワークへのアクセスが終了するまでに前記受信手段の受信する番組データを前記記憶手段に記憶させる制御手段とを備え、前記制御手段は、前記第２の情報の入力に基づいた前記アクセス手段によるネットワークへのアクセスが終了した場合に、前記第２の情報の入力が受付けられてから前記アクセス手段によるネットワークへのアクセスが終了するまでに前記受信手段の受信した番組データを早送り再生させることを特徴とする。
【０００９】
本発明の他の局面に従った受信装置は、番組データを受信する受信手段と、ユーザからの情報の入力を受付ける入力手段と、前記受信手段が前記番組データを受信している最中に前記入力手段が第１の情報の入力を受付けた場合に、前記受信手段の受信した画像情報を記憶する記憶手段と、前記受信手段が前記番組データを受信している最中に前記入力手段が第２の情報の入力を受付けた場合に、前記受信手段の受信している番組に関する情報を、前記記憶手段に、前記記憶手段に記憶された画像情報に関連付けて記憶させる制御手段と、前記入力手段に第３の情報が入力された際に、前記記憶手段に記憶された画像情報を、前記番組に関する情報とともに表示させる情報表示手段と、前記情報表示手段によって表示された画像情報の中から或る画像情報を指定する情報である第４の情報が前記入力手段に入力された場合、前記或る画像情報に対して文字認識を行なう文字認識手段と、前記文字認識手段が文字認識の結果として出力した文字情報を用いて、ネットワークへのアクセス動作を実行するアクセス手段とを備えることを特徴とする。
【００１０】
また、本発明に従った受信装置では、前記番組に関する情報は、番組の名称、前記受信手段の受信しているチャンネル、または、前記記憶手段に記憶された画像情報を前記受信手段が受信した時刻を特定する情報の少なくとも１つを含むことが好ましい。
【００１１】
また、本発明に従った受信装置では、前記文字認識手段は、文字認識の結果として電話番号を出力し、前記アクセス手段は、前記文字認識手段が文字認識の結果を利用して、ネットワークに、音声による通話のための発呼信号を送信することが好ましい。
【００１２】
また、本発明に従った受信装置では、前記入力手段は、前記文字認識手段に対して、前記記憶手段に記憶された画像情報について文字認識を行なう領域を指定する情報をさらに受付け、前記文字認識手段は、前記受信手段が受付けた前記領域を指定する情報によって指定された領域のみについて文字認識を行なうことが好ましい。
【００１３】
また、本発明に従った受信装置では、前記文字認識手段は、文字認識の結果を表示させ、前記入力手段は、表示された前記文字認識の結果に対して修正を行なうための情報の入力を受付け、前記アクセス手段は、前記文字認識手段が文字認識の結果として出力した文字情報に、前記入植手段に入力された前記修正を行なうための情報に基づいた修正を加えた情報を用いて、ネットワークへのアクセス動作を実行することが好ましい。
【発明の効果】
【００１４】
本発明の或る局面によると、受信装置において、番組データが受信されている最中に入力手段に適当な情報が入力されると、その時点で受信されている画像情報に対して文字認識が行なわれ、そして、文字認識の結果に基づいたネットワークへのアクセスが行なわれるとともに、ネットワークへのアクセスのための動作が行なわれている期間中に放送された番組データは、録画され、かつ、ネットワークへのアクセス終了後に早送り再生される。
【００１５】
これにより、番組放送中に画面に表示された情報を用いて容易にネットワークへのアクセスができるとともに、当該ネットワークへのアクセスによって見逃した部分の番組を、ネットワークへのアクセスが終了した後に、早送りで視聴できる。したがって、受信装置において、番組放送中にＵＲＬや電話番号等のアクセス先の情報が画面に表示された場合でも、放送中の番組の視聴を阻害することなく、当該情報を用いたアクセスを容易にされることになる。
【００１６】
本発明の他の局面によると、受信装置において、番組データが受信されている最中に入力手段に適当な情報が入力されると、その時点で受信されている画像情報が、番組に関する情報に関連付けられて記憶され、また、記憶された画像情報は、番組に関する情報とともに表示され、さらに、表示された画像情報の中から入力手段によって指定された画像情報についての文字認識がなされ、そして、文字認識の結果に基づいたネットワークへのアクセスが行なわれる。
【００１７】
これにより、ユーザは、番組の視聴が終わった後に、番組中で表示されたアクセス先の情報を用いて、ネットワークへのアクセスが可能となる。なお、記憶手段から文字認識の対象となる画像情報が選択される際には、画像情報が、当該画像情報が記憶されたときに放送された番組に関する情報とともに表示されるため、ユーザは、文字認識の対象となる画像情報を容易に選択できる。
【発明を実施するための最良の形態】
【００１８】
以下、図面を参照しつつ、本発明に従った受信装置の一実施の形態について説明する。
【００１９】
図１は、本発明の一実施の形態である、テレビ放送の受信機能を有する携帯電話機１の斜視図である。
【００２０】
携帯電話機１は、その外郭を本体１Ａに覆われている。本体１Ａには、ＬＣＤ（liquid crystal display）等からなり種々の情報を表示するモニタ２、スピーカ３、テンキー４０等の複数のキーを含む入力部４、および、マイク５が備えられている。携帯電話機１の構成は、図１に示された態様に限定されず、折畳式の携帯電話機等であっても良い。
【００２１】
図２は、携帯電話機１の制御ブロック図である。
【００２２】
携帯電話機１には、当該携帯電話機１の動作を全体的に制御する制御部１０が備えられている。制御部１０は、マイコン（マイクロコンピュータ）を含む。制御部１０は、図１を用いて説明したモニタ２、スピーカ３、入力部４、および、マイク５に接続され、これらを用い、また、周知の技術を利用することによって、電話による通話や受信したテレビ映像の出力等を行なう。
【００２３】
また、携帯電話機１は、アンテナ１３を備え、当該アンテナ１３には、電子メールや電話のためのデータの通信を制御する通信制御部１４と、テレビ番組の受信を制御するためのチューナ１５が接続されている。アンテナ１３で受信されたテレビ番組のデータは、チューナ１５および変換部１６を介して、制御部１０に導入される。
【００２４】
また、携帯電話機１は、さらに、計時動作を行なうタイマ１２、種々の情報を記憶する記憶部１９、携帯電話機１において記憶された画像に対して文字認識の処理を行なうための文字認識部１１、および、携帯電話機１において情報のエンコードおよびデコードを行なうエンコーダ／デコーダ１７を備えている。
【００２５】
記憶部１９は、静止画像や映像等の、種々のデータを記憶することができる。また、本実施の形態では、記憶部１９は、一時的にデータを記憶する部分と、携帯電話機１において電源が切られた後でも記憶内容を保持している部分とを含むものとして、説明される。
【００２６】
次に、携帯電話機１において、テレビ番組が視聴される際に実行される動作について、図３および図４をさらに参照して説明する。図３および図４は、ユーザが、入力部４に対してテレビ番組を視聴するための操作を行なった際に制御部１０によって実行されるテレビ視聴処理のフローチャートである。
【００２７】
入力部４に対してテレビ番組を視聴するための操作がなされると、制御部１０は、まずステップＳＡ１（以下、「ステップ」を省略する）で、アンテナ１３に受信させるチャンネルの選択を行なう。ここで選択されるチャンネルは、たとえば、前回のテレビ番組の視聴が終了されたときに視聴されていたチャンネルとすることができる。ＳＡ１では、制御部１０は、チャンネルの選択を行なった後、当該選択したチャンネルの番組をアンテナ１３に受信させる。これにより、携帯電話機１では、ＳＡ１で選択されたチャンネルの番組の視聴が可能な状態となる。
【００２８】
次に、制御部１０は、ＳＡ２で、入力部４に対して、チャンネルの変更を要求する操作がなされたか否かを判断する。そして、そのような操作がなされたと判断すると、ＳＡ３で、アンテナ１３に、要求されたチャンネルにチューニングさせて、ＳＡ２に処理を戻す。一方、そのような操作がなされていないと判断すると、制御部１０は、ＳＡ４に処理を進める。
【００２９】
ＳＡ４では、制御部１０は、入力部４に対して、その時点でモニタ２に表示された画像から、電話番号を、携帯電話機１において発呼に利用できる形態で取得する旨の要求をする操作がなされたか否かを判断する。そして、そのような操作がなされたと判断すると、ＳＡ５に処理を進め、そのような操作がなされていないと判断すると、ＳＡ２１に処理を進める。
【００３０】
ＳＡ５では、制御部１０は、モニタ２に表示されている画像のデータを記憶部１９に一時的に記憶させて、ＳＡ６に処理を進める。
【００３１】
ＳＡ６では、制御部１０は、入力部４に対して、ＳＡ４で実行された判断したような操作が行なわれた後、さらに、取得された電話番号にすぐに発信することを要求する情報が入力されたか否かを判断し、そのような情報が入力されたと判断するとＳＡ８に処理を進める。一方、制御部１０は、そのような情報が入力されていないと判断すると、つまり、取得された電話番号への発信は後で行なわれることを希望する旨の情報が入力されたと判断すると、ＳＡ７に処理を進める。
【００３２】
ＳＡ７では、制御部１０は、その時点でアンテナ１３の受信している番組に関する情報を取得し、当該情報を、ＳＡ５で一時的に記憶された画像データと関連付けて記憶部１９に記憶させ、処理をＳＡ２に処理を戻す。なお、記憶部１９には、ＳＡ７の処理によって記憶されるような画像データと番組に関する情報とが、たとえば、表形式で、記憶されている。また、ＳＡ７の処理によって記憶される番組に関する情報とは、たとえば、アンテナ１３で受信される情報にＥＰＧ（Electronic Program Guide）データが含まれる場合に、当該ＥＰＧデータから抽出される番組の名称であっても良い。さらに、番組に関する情報とは、制御部１０がその時点でアンテナ１３に対して受信するよう制御を行なっているチャンネルを特定する情報であっても良いし、また、その時点でタイマ１２の計時する時刻であっても良い。
【００３３】
一方、ＳＡ８では、制御部１０は、アンテナ１３で受信している番組のデータを記憶部１９に記憶（録画）させる処理を開始し、ＳＡ９に処理を進める。
【００３４】
ＳＡ９では、制御部１０は、ＳＡ５で一時的に記憶した画像をモニタ２に表示させ、そして、ユーザから入力部４に入力される、当該表示された画像の中で電話番号を得るための文字認識のために画像を抽出する領域を指定する情報を受付ける。ここで受付けられる情報とは、たとえば、予め大きさの決められた抽出する領域についての、中心位置、または、左上端の位置を特定する情報が挙げられる。なお、領域の大きさについても、入力が可能とされても良い。
【００３５】
次に、制御部１０は、ＳＡ１０で、文字認識部１１を利用し、ＳＡ９で指定された領域を対象として、電話番号を抽出するための文字認識を行ない、そして、ＳＡ１１で、文字認識の結果として得られた電話番号のデータをモニタ２に表示させる。
【００３６】
次に、制御部１０は、ＳＡ１２で、表示された文字認識の結果に対して修正する情報が入力部４に入力されたか否かを判断する。そして、制御部１０は、入力されたと判断すると、ＳＡ１３で、入力された内容に応じて文字認識の結果を修正し、ＳＡ１４に処理を進める。一方、制御部１０は、そのような修正のための情報の入力は無いと判断すると、直接ＳＡ１４に処理を進める。
【００３７】
ＳＡ１４では、制御部１０は、文字認識の結果として得られた電話番号と通話するために発呼信号を基地局へ送信する。これにより、携帯電話機１において通話が開始される。
【００３８】
そして、制御部１０は、ＳＡ１５で、通話が終了したか否かを判断する。そして、終了したと判断すると、制御部１０は、ＳＡ１６で、入力部４に、ＳＡ８で録画を開始した番組データの再生を要求する情報が入力されたか否かを判断する。そして、制御部１０は、そのような情報が入力されたと判断するとＳＡ１８に処理を進める。一方、そのような情報の入力はなかったと判断すると、つまり、ＳＡ８で録画を開始した番組データの再生は不要であるという情報が入力されたと判断すると、制御部１０は、ＳＡ１７で、録画を停止し、かつ、録画したデータを消去する処理を実行した後、ＳＡ２０に処理を進める。
【００３９】
ＳＡ１８では、制御部１０は、録画された番組データを早送り再生させる。そして、ＳＡ１９で、制御部１０が、早送り再生させる内容が現在時刻のものに追いついたかどうかを判断し、追いついたと判断すると、ＳＡ２０に処理を進める。
【００４０】
ＳＡ２０では、制御部１０は、アンテナ１３で受信される番組データを、リアルタイムで出力し、かつ、ＳＡ８で開始した録画動作を停止させ、ＳＡ２１に処理を進める。
【００４１】
ＳＡ２１では、制御部１０は、入力部４に対して、テレビの視聴を終了するための操作がなされたか否かを判断し、そのような操作がなされたと判断すると、放送を受信する動作を終了させ、処理を終了する。一方、そのような操作がなされていないと判断すると、ＳＡ２に処理を戻す。
【００４２】
以上説明したテレビ視聴処理によると、携帯電話機１では、テレビ番組の視聴中に、入力部４に対して、その時点でモニタ２に表示された画像から、携帯電話機１において発呼に利用できる形態で電話番号を取得するための操作がなされると、モニタ２に表示された画像のデータが一時的に記憶され、当該画像データに対して文字認識がなされる。そして、文字認識の結果得られた電話番号に発呼する処理がなされる。なお、携帯電話機１では、このように電話番号を取得し発呼する処理が実行されたために視聴することのできなかった部分の番組データが、録画され、通話が終了した後、早送り再生される。
【００４３】
以上説明した本実施の形態では、電話をかけるために制御部１０が発呼信号を基地局へ送信することが、ネットワーク手段によるネットワークへのアクセスに対応している。
【００４４】
なお、以上説明した本実施の形態では、テレビ画面としてモニタ２に表示された画像から抽出される情報として、電話番号が挙げられたが、本発明が適用される技術は、このようなものに限定されない。画像からＵＲＬが抽出され、抽出されたＵＲＬを用いてインターネット等のネットワークへのアクセスがなされてもよい。
【００４５】
また、以上説明した本実施の形態では、一時的に記憶された画像データの中で、文字認識の対象となる領域は、ユーザから指定された領域とされたが、本発明の適用される技術はこのようなものに限定されない。たとえば、自動的にテキスト領域を検出できるようなＯＣＲ（Optical Character Reader）エンジンを利用することにより、携帯電話機１側で、ユーザから指定されることなく、画像データの中で電話番号が表示されている領域を検出しても良い。
【００４６】
また、以上説明した本実施の形態では、一時的に記憶させた画像データを後で電話番号の抽出等で利用するために、ＳＡ７で、番組の情報と関連付けて、記憶させた。携帯電話機１では、このように記憶された画像データを文字認識の対象として電話番号を抽出し、得られた電話番号を利用して電話をかけることができる。このような場合の携帯電話機１の動作を説明するために、このような場合に制御部１０が実行する処理（呼出通話処理）のフローチャートである図５を参照して、説明を行なう。なお、呼出通話処理は、入力部４に対して、番組の情報と関連付けて記憶された画像データを用いて電話番号の抽出を行なうための操作がなされることを契機として、実行される。
【００４７】
呼出通話処理では、制御部１０は、まず、ＳＢ１で、記憶部１９において上記したテーブル等の形式で番組の情報と関連付けられて記憶された画像データの一覧を、モニタ２に表示させる。このとき、モニタ２には、画像データとともに、番組の情報も表示され、そして、携帯電話機１は、表示された画像データから文字認識の対象となる画像データを選択する情報の入力を待つ状態となる。なお、ＳＢ１において、画像データが番組の情報とともに表示されることにより、ユーザは、容易に、電話番号を得るために文字認識の対象とすることを希望する画像データを選択できる。
【００４８】
そして、制御部１０は、ＳＢ２で、実際に、入力部４に入力される、画像を選択する情報を受付け、ＳＢ３で、ＳＡ９と同様に、選択された画像データに対して文字認識の対象となる領域を指定する情報を受付ける。
【００４９】
そして、制御部１０は、ＳＢ４で、文字認識部１１を利用し、ＳＢ３で指定された領域を対象として、電話番号を抽出するための文字認識を行ない、電話番号を得る。
【００５０】
そして、制御部１０は、ＳＢ５で、ＳＢ４で文字認識の結果として抽出した電話番号をモニタ２に表示させる。
【００５１】
次に、制御部１０は、ＳＢ６で、表示された文字認識の結果に対して修正する情報が入力部４に入力されたか否かを判断する。そして、制御部１０は、入力されたと判断すると、ＳＢ７で、入力された内容に応じて文字認識の結果を修正し、ＳＢ８に処理を進める。一方、制御部１０は、そのような修正のための情報の入力は無いと判断すると、直接ＳＢ８に処理を進める。
【００５２】
ＳＢ８では、制御部１０は、文字認識の結果として得られた電話番号と通話するために発呼信号を基地局へ送信する。これにより、携帯電話機１において通話が開始される。
【００５３】
そして、制御部１０は、ＳＢ９で、通話が終了したか否かを判断する。そして、終了したと判断すると、通話を終了させるための処理を適宜行ない、呼出通話処理を終了させる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の受信装置の一実施の形態である携帯電話機の斜視図である。
【図２】図１の携帯電話機の制御ブロック図である。
【図３】図１の携帯電話機において実行されるテレビ視聴処理のフローチャートである。
【図４】図１の携帯電話機において実行されるテレビ視聴処理のフローチャートである。
【図５】図１の携帯電話機において実行される呼出通話処理のフローチャートである。
【符号の説明】
【００５６】
１  携帯電話機、１Ａ  外装部、２  モニタ、３  スピーカ、４  入力部、５  マイク、１０  制御部、１３  アンテナ、１４  通信制御部、１５  チューナ、１６  変換部、１７  エンコーダ／デコーダ、１９  記憶部、４０  テンキー。
【図１】
2006025206.tif 000003
【図２】
2006025206.tif 000004
【図３】
2006025206.tif 000005
【図４】
2006025206.tif 000006
【図５】
2006025206.tif 000007